(57)【要約】  本発明は、ユーザ機器（ＵＥ）識別子の割り当て方法、ネットワーク機器、ＵＥおよびコンピュータ記憶媒体をを開示し、前記方法は、前記ＵＥが位置するトラッキングエリア（ＴＡ）に基づいて、前記ＴＡ内の一意の識別情報を前記ＵＥに割り当てることと、前記ＵＥに割り当てた、前記ＴＡ内の一意の識別情報を前記ＵＥに送信することとを含む。
2021516930.tif 000002
【特許請求の範囲】
【請求項１】
ユーザ機器（ＵＥ）識別子を割り当てる方法であって、
ネットワーク機器に適用され、
前記ＵＥが位置するトラッキングエリア（ＴＡ）に基づいて、前記ＴＡ内の一意の識別情報を前記ＵＥに割り当てることと、
前記ＵＥに割り当てた、前記ＴＡ内の一意の識別情報を前記ＵＥに送信することとを含む、前記ユーザ機器（ＵＥ）識別子を割り当てる方法。
【請求項２】
前記ＴＡ内の一意の識別情報を前記ＵＥに割り当てることは、
前記ＵＥがアタッチプロセス、またはロケーションエリア更新プロセスにある場合、前記ＴＡ内の一意の識別情報を前記ＵＥに割り当て、ＴＡリストを前記ＵＥに割り当てることをさらに含む、
請求項１に記載の方法。
【請求項３】
前記ＵＥに割り当てた、前記ＴＡ内の一意の識別情報を前記ＵＥに送信することは、
前記ＴＡ内の前記ＵＥの一意の識別情報、および前記ＴＡリストを、アタッチ応答メッセージまたはロケーション更新応答メッセージによって、前記ＵＥに送信することを含む、
請求項２に記載の方法。
【請求項４】
前記方法は、
前記ＵＥに対してページングメッセージを送信するとき、ＴＡリストに従って前記ＵＥに対応する基地局を決定することと、
前記ＵＥに対応する基地局にページングトリガメッセージを送信し、前記ページングトリガメッセージで前記基地局に対応するＴＡ内の前記ＵＥの一意の識別情報を搬送することにより、前記基地局は、前記ＴＡ内の一意の識別情報に基づいて、前記ＵＥのページングメッセージを生成して送信することとをさらに含む、
請求項１に記載の方法。
【請求項５】
前記方法は、
前記ＵＥが初期ＲＲＣ接続確立を開始するとき、セルのＴＡ情報および前記ＴＡ内のＵＥの一意の識別情報を取得することと、
前記ＴＡ情報およびＲＲＣ接続要求メッセージで搬送されるＴＡ内の一意の識別情報に基づいて、ＵＥのコンテキスト情報をアドレス指定することとをさらに含む、
請求項１に記載の方法。
【請求項６】
ユーザ機器（ＵＥ）識別子を割り当てる方法であって、
ＵＥに適用され、
ネットワーク側から送信されたＴＡ内の前記ＵＥの一意の識別情報を取得することを含む、前記ユーザ機器（ＵＥ）識別子を割り当てる方法。
【請求項７】
前記方法は、
前記ＵＥがアタッチプロセス、またはロケーションエリア更新プロセスにある場合、ネットワーク側のアタッチ応答メッセージまたはロケーション更新応答メッセージによって、前記ＴＡ内の前記ＵＥの一意の識別情報および前記ＴＡリストを取得することをさらに含む、
請求項６に記載の方法。
【請求項８】
前記方法は、
現在位置するセルのＴＡ内の対応する一意の識別情報に基づいて、ネットワーク側から前記ＵＥに対するページングメッセージが送信されたかどうかを検出することをさらに含む、
請求項６に記載の方法。
【請求項９】
ネットワーク機器であって、
前記ＵＥが位置するトラッキングエリア（ＴＡ）に基づいて、前記ＴＡ内の一意の識別情報を前記ＵＥに割り当てるように構成される第１処理ユニットと、
前記ＵＥに割り当てた、前記ＴＡ内の一意の識別情報を前記ＵＥに送信するように構成される第１通信ユニットとを含む、前記ネットワーク機器。
【請求項１０】
前記第１処理ユニットは、前記ＵＥがアタッチプロセス、またはロケーションエリア更新プロセスにある場合、前記ＴＡ内の一意の識別情報を前記ＵＥに割り当て、ＴＡリストを前記ＵＥに割り当てるように構成される、
請求項９に記載のネットワーク機器。
【請求項１１】
前記第１通信ユニットは、前記ＴＡ内の前記ＵＥの一意の識別情報および前記ＴＡリストを、アタッチ応答メッセージまたはロケーション更新応答メッセージによって、前記ＵＥに送信するように構成される、
請求項１０に記載のネットワーク機器。
【請求項１２】
前記第１処理ユニットは、前記ＵＥに対してページングメッセージを送信するとき、ＴＡリストに従って前記ＵＥに対応する基地局を決定するように構成され、
前記第１通信ユニットは、前記ＵＥに対応する基地局にページングトリガメッセージを送信し、前記ページングトリガメッセージで前記基地局に対応するＴＡ内の前記ＵＥの一意の識別情報を搬送するように構成されることにより、前記基地局は、前記ＴＡ内の一意の識別情報に基づいて、前記ＵＥに対するページングメッセージを生成して送信する、
請求項９に記載のネットワーク機器。
【請求項１３】
前記第１処理ユニットは、前記ＵＥが初期ＲＲＣ接続確立を開始するとき、セルのＴＡ情報および前記ＴＡ内のＵＥの一意の識別情報を取得し、前記ＴＡ情報およびＲＲＣ接続要求メッセージで搬送されるＴＡ内の一意の識別情報に基づいて、ＵＥのコンテキスト情報をアドレス指定するように構成される、
請求項９に記載のネットワーク機器。
【請求項１４】
ＵＥであって、
ネットワーク側から送信されたＴＡ内の前記ＵＥの一意の識別情報を取得するように構成される第２通信ユニットを含む、前記ＵＥ。
【請求項１５】
前記第２通信ユニットは、前記ＵＥがアタッチプロセス、またはロケーションエリア更新プロセスにある場合、ネットワーク側のアタッチ応答メッセージまたはロケーション更新応答メッセージによって、前記ＴＡ内の前記ＵＥの一意の識別情報およびＴＡリストを取得するように構成される、
請求項１４に記載のＵＥ。
【請求項１６】
前記ＵＥは、
現在位置するセルのＴＡ内の対応する一意の識別情報に基づいて、ネットワーク側から前記ＵＥに対するページングメッセージが送信されたかどうかを検出するように構成される第２処理ユニットをさらに含む、
請求項１５に記載のＵＥ。
【請求項１７】
ネットワーク機器であって、
プロセッサおよびプロセッサで実行可能なコンピュータプログラムを記憶するためのメモリを含み、
前記プロセッサは、前記コンピュータプログラムを実行するときに、請求項１ないし５のいずれか一項に記載の方法のステップを実行するように構成される、前記ネットワーク機器。
【請求項１８】
ＵＥであって、
プロセッサおよびプロセッサで実行可能なコンピュータプログラムを記憶するためのメモリを含み、
前記プロセッサは、前記コンピュータプログラムを実行するときに、請求項６ないし８のいずれか一項に記載の方法のステップを実行するように構成される、前記ＵＥ。
【請求項１９】
コンピュータ記憶媒体であって、
前記コンピュータ記憶媒体は、コンピュータ実行可能な命令を記憶するように構成され、前記コンピュータ実行可能な命令が実行されるときに、請求項１ないし８のいずれか一項に記載の方法のステップを具現する、前記コンピュータ記憶媒体。
【発明の詳細な説明】
【技術分野】
【０００１】
本発明は、情報処理の技術分野に関し、特に、ユーザ機器（ＵＥ）識別子の割り当て方法、ネットワーク機器、ＵＥおよびコンピュータ記憶媒体に関する。
【背景技術】
【０００２】
５ＧのＵＥはＬＴＥのＵＥと同様に、ＵＥはまずコアネットワークでアタッチ登録を実行し、その後、コアネットワークにＵＥのコンテキスト情報が存在し、当該情報の１つはロケーションエリア情報、即ち、ＴＡ  ｌｉｓｔであり、当該ＵＥのページングがある場合、コアネットワークは、ＵＥ  ＴＡ  ｌｉｓｔが存在する全ての基地局にページングメッセージを配信し、これらの基地局をトリがして、当該基地局配下のすべてのセルに当該ＵＥにページングを配信する。したがって、１つのＵＥのページングでは、少なくとも１つのＴＡのすべてのセルによってページングメッセージを配信する。
【０００３】
基地局側では、ＵＥによって送信されたページングメッセージに、最大１６個のＵＥの識別情報、即ちＳ−ＴＭＳＩを含むＵＥ  ｒｅｃｏｒｅｄ  ｌｉｓｔがある。ＵＥは、ページングメッセージのＵＥ  ｒｅｃｏｒｅｄ  ｌｉｓｔのＳ−ＴＭＳＩを読み取ることにより、ページングされているかどうかを判断する。ここでＳ−ＴＭＳＩのビット数は４０ビットである。Ｓ−ＴＭＳＩは、コアネットワークによってＵＥに割り当てられた一時的な識別子の一部である。したがって、従来の技術では、ページングが行われると、より多くのビットがＵＥの識別子に割り当てられ、これにより、送信シグナリングの長さが長くなるという問題が発生する。
【発明の概要】
【発明が解決しようとする課題】
【０００４】
上記の技術的課題を解決するために、本発明の実施例は、ユーザ機器（ＵＥ）識別子の割り当て方法、ネットワーク機器、ＵＥおよびコンピュータ記憶媒体を提供する。
【課題を解決するための手段】
【０００５】
本発明の実施例によって提供されるユーザ機器（ＵＥ）識別子を割り当てる方法は、ネットワーク機器に適用され、前記方法は、
前記ＵＥが位置するトラッキングエリア（ＴＡ）に基づいて、前記ＴＡ内の一意の識別情報を前記ＵＥに割り当てることと、
前記ＵＥに割り当てた、前記ＴＡ内の一意の識別情報を前記ＵＥに送信することとを含む。
【０００６】
本発明の実施例によって提供されるユーザ機器（ＵＥ）識別子を割り当てる方法は、ＵＥに適用され、前記方法は、
ネットワーク側から送信されたＴＡ内の前記ＵＥの一意の識別情報を取得することを含む。
【０００７】
本発明の実施例によって提供されるネットワーク機器は、
前記ＵＥが位置するトラッキングエリア（ＴＡ）に基づいて、前記ＴＡ内の一意の識別情報を前記ＵＥに割り当てるように構成される第１処理ユニットと、
前記ＵＥに割り当てた、前記ＴＡ内の一意の識別情報を前記ＵＥに送信するように構成される第１通信ユニットとを含む。
【０００８】
本発明の実施例によって提供されるＵＥは、
ネットワーク側から送信されたＴＡ内の前記ＵＥの一意の識別情報を取得するように構成される第２通信ユニットを含む。
【０００９】
本発明の実施例によって提供されるＵＥは、プロセッサおよびプロセッサで実行可能なコンピュータプログラムを記憶するためのメモリを含み、
ここで、前記プロセッサは、前記コンピュータプログラムを実行するときに、前述した方法のステップを実行するために使用される。
【００１０】
本発明の実施例によって提供されるコンピュータ記憶媒体は、コンピュータ実行可能な命令を記憶するように構成され、前記コンピュータ実行可能な命令が実行されるときに、前述した方法のステップを具現する。
【発明の効果】
【００１１】
本発明の実施例の技術的解決策は、ＵＥが位置するトラッキングエリア（ＴＡ）に基づいて、当該ＵＥにＴＡ内の一意の識別情報を割り当てることができ、当該一意の識別情報を使用して、ページングを送信してＵＥを識別し、およびＵＥの初期ＲＲＣ接続確立でＵＥを識別する。これにより、ネットワーク側のＵＥに対する伝送シグナリングの負荷、特に、ページングシグナリングの負荷および初期ＲＲＣ接続確立メッセージの負荷を低減することができる。
【図面の簡単な説明】
【００１２】
【図１】本発明の実施例によって提供されるＵＥ識別子の割り当て方法の例示的なフローチャートである。
【図２】本発明の実施例のネットワーク機器構成の例示的な構造図である。
【図３】本発明の実施例のＵＥ構成の例示的な構造図である。
【図４】本発明の実施例のハードウェアアーキテクチャの概略図である。
【発明を実施するための形態】
【００１３】
本発明の実施例の特徴および技術内容をより詳細に理解するために、以下、図面を参照して本発明の実施例の具現を詳細に説明し、添付の図面は、例示のみを目的として、本発明の実施例を限定することを意図するものではない。
【００１４】
実施例１
本発明の実施例によって提供されるユーザ機器（ＵＥ）識別子の割り当て方法は、ネットワーク機器に適用され、図１に示されるように、以下のステップを含む。
【００１５】
ステップ１０１：前記ＵＥが位置するトラッキングエリア（ＴＡ）に基づいて、前記ＴＡ内の一意の識別情報を前記ＵＥに割り当てる。
【００１６】
ステップ１０２：前記ＵＥに割り当てた、前記ＴＡ内の一意の識別情報を前記ＵＥに送信する。
【００１７】
ここで、前記ネットワーク機器は、コアネットワークにおける機器であり得る。
【００１８】
本技術案において、ＵＥにＴＡ範囲内の一意のＵＥ識別子を割り当てることができ、ＵＥがロケーション更新を実行するとき、ＵＥに１つのＴＡリストを割り当てた場合、ＴＡリストの各ＴＡに対して当該ＴＡ内の一意のＵＥ識別子を割り当てる。
【００１９】
前記ＴＡ内の一意の識別情報を前記ＵＥに割り当てることは、
前記ＵＥがアタッチプロセス、またはロケーションエリア更新プロセスにある場合、前記ＴＡ内の一意の識別情報を前記ＵＥに割り当て、ＴＡリストを前記ＵＥに割り当てることをさらに含む。
【００２０】
対応的に、前記ＵＥに割り当てた、前記ＴＡ内の一意の識別情報を前記ＵＥに送信することは、
前記ＴＡ内の前記ＵＥの一意の識別情報、および前記ＴＡリストを、アタッチ応答メッセージまたはロケーション更新応答メッセージによって、前記ＵＥに送信することを含む。
【００２１】
つまり、ＵＥのアタッチ（ａｔｔａｃｈ）プロセス、またはロケーションエリア更新プロセスにおいて、ネットワーク側がＵＥにＴＡリストを割り当てる場合、各ＴＡに対して当該ＴＡ内の前記ＵＥの一意の識別子を割り当て、その後、ＴＡ内の前記ＵＥの一意の識別子を、ＴＡリストと共に、アタッチ応答メッセージまたはロケーション更新応答メッセージによって、ＵＥに送信する。
【００２２】
上記の処理に基づいて、前記ＵＥに対してページングメッセージを送信するとき、ＴＡリストに従って前記ＵＥに対応する基地局を決定し、前記ＵＥに対応する基地局にページングトリガメッセージを送信し、前記ページングトリガメッセージで前記基地局に対応するＴＡ内の前記ＵＥの一意の識別情報を搬送することにより、前記基地局は、前記ＴＡ内の一意の識別情報に基づいて、前記ＵＥのページングメッセージを生成して送信することとをさらに含む、
具体的には、ネットワーク側がページングメッセージを送信するとき、ＴＡリストに従って対応する基地局を選択して、ページングトリガメッセージを基地局に送信する。また、当該基地局に対応するＴＡ内のＵＥ識別情報も搬送する。基地局は、ページングメッセージを送信する場合、ページングメッセージのコアネットワークによって示されるＵＥ識別子を使用して、ページングされたＵＥを識別する。
【００２３】
対応的に、ＵＥは、ページングメッセージを受信する場合、セルが位置するＴＡを読み取って、ネットワーク側によって当該ＴＡに割り当てられたＵＥ識別子を取得することにより、自分のページングメッセージがあるかどうかを判断する。
【００２４】
さらに、当該識別情報は、ＵＥが初期ＲＲＣ接続確立を開始するときに１つのＵＥを識別するために使用されてもよいことに留意する必要がある。具体的には、前記ＵＥが初期ＲＲＣ接続確立を開始するとき、セルのＴＡ情報、および当該ＴＡ内のＵＥの一意の識別情報を取得し、
前記ＴＡ情報およびＲＲＣ接続要求メッセージで搬送されるＴＡ内の一意の識別情報に基づいて、ＵＥのコンテキスト情報をアドレス指定する。
【００２５】
即ち、初期コンテキストを確立する場合、基地局は、当該ＴＡ内の一意の識別情報および対応するＴＡ情報をＭＭＥ（例えば、本実施例のネットワーク機器であり得る）に送信して、ＵＥのコンテキスト情報を識別する必要がある。
【００２６】
前述の技術案を採用することにより、ＵＥが位置するトラッキングエリア（ＴＡ）に基づいて、当該ＵＥにＴＡ内の一意の識別情報を割り当てることができ、当該一意の識別情報を使用して、ページング送信でＵＥを識別およびＵＥの初期ＲＲＣ接続確立でＵＥを識別する。これにより、ネットワーク側のＵＥに対する送信シグナリングの負荷、特に，ページングシグナリングの負荷および初期ＲＲＣ接続確立メッセージの負荷を低減することができる。
【００２７】
実施例２
本発明の実施例によって提供されるユーザ機器（ＵＥ）識別子の割り当て方法は、ＵＥに適用され、ネットワーク側から送信されたＴＡ内の前記ＵＥの一意の識別情報を取得することを含む。
【００２８】
ここで、前記ネットワーク機器は、コアネットワークにおける機器であり得る。前記ＵＥは、モバイルネットワークにおける端末機器であり得る。
【００２９】
本技術案において、ＵＥにＴＡ内の一意のＵＥ識別子を割り当てることができ、ＵＥがロケーション更新を実行するとき、ＵＥに１つのＴＡリストを割り当てた場合、ＴＡリストの各ＴＡに対して当該ＴＡ内の一意のＵＥ識別子を割り当てる。
【００３０】
本発明の実施例によって提供される方法は、前記ＵＥがアタッチプロセス、またはロケーションエリア更新プロセスにある場合、ネットワーク側のアタッチ応答メッセージまたはロケーション更新応答メッセージによって、ＴＡ内の前記ＵＥの一意の識別情報および前記ＴＡリストを取得することをさらに含む。
【００３１】
つまり、ＵＥのアタッチ（ａｔｔａｃｈ）プロセス、またはロケーションエリア更新プロセスにおいて、ネットワーク側によってＵＥにＴＡリストを割り当てる場合、各ＴＡに対して当該ＴＡ内の一意の識別子を割り当て、その後、ＴＡ内の前記ＵＥの一意の識別子を、ＴＡリストと共に、アタッチ応答メッセージまたはロケーション更新応答メッセージによって、ＵＥに送信する。
【００３２】
上記の処理に基づいて、前記ＵＥに対してページングメッセージを送信する場合、ＴＡリストに従って、前記ＵＥに対応する基地局を決定し、前記ＵＥに対応する基地局にページングトリガメッセージを送信し、前記ページングトリガメッセージで前記基地局に対応するＴＡ内の前記ＵＥの一意の識別情報を搬送することにより、前記基地局は、前記ＴＡ内の一意の識別情報に基づいて、前記ＵＥのページングメッセージを生成して送信することとをさらに含む、
具体的には、ネットワーク側がページングメッセージを送信するとき、ＴＡリストに従って対応する基地局を選択して、ページングトリガメッセージを基地局に送信する。また、当該基地局に対応するＴＡ内のＵＥ識別情報も搬送する。基地局は、ページングメッセージを送信する場合、ページングメッセージのコアネットワークによって示されるＵＥ識別子を使用して、ページングされたＵＥを識別する。
【００３３】
対応的に、ＵＥは、ページングメッセージを受信する場合、現在位置するセルのＴＡ内の対応する一意の識別情報に基づいて、ネットワーク側から前記ＵＥに対するページングメッセージが送信されたかどうかを検出する。即ち、ＵＥは、ページングメッセージを受信する場合、セルが位置するＴＡを読み取って、ネットワーク側によって当該ＴＡに割り当てられたＵＥ識別子を取得することにより、自分のページングメッセージがあるかどうかを判断する。
【００３４】
さらに、当該識別情報は、ＵＥが初期ＲＲＣ接続確立を開始するときに１つのＵＥを識別するために使用されてもよいことに留意する必要がある。具体的には、前記ＵＥが初期ＲＲＣ接続確立を開始するとき、セルのＴＡ情報、および当該ＴＡ内のＵＥの一意の識別情報を取得し、
前記ＴＡ情報およびＲＲＣ接続要求メッセージで搬送されるＴＡ内の一意の識別情報に基づいて、ＵＥのコンテキスト情報をアドレス指定する。
【００３５】
即ち、初期コンテキストを確立する場合、基地局は、当該ＴＡ内の一意の識別情報および対応するＴＡ情報をＭＭＥ（例えば、本実施例のネットワーク機器であり得る）に送信して、ＵＥのコンテキスト情報を識別する必要がある。
【００３６】
前述の技術案を採用することにより、ＵＥが位置するトラッキングエリア（ＴＡ）に基づいて、当該ＵＥにＴＡ内の一意の識別情報を割り当てることができ、当該一意の識別情報を使用して、ページング送信でＵＥを識別およびＵＥの初期ＲＲＣ接続確立でＵＥを識別する。これにより、ネットワーク側のＵＥに対する送信シグナリングの負荷、特に、ページングシグナリングの負荷および初期ＲＲＣ接続確立メッセージの負荷を低減することができる。
【００３７】
実施例３
本発明の実施例によって提供されるネットワーク機器は、図２に示されたように、
前記ＵＥが位置するトラッキングエリア（ＴＡ）に基づいて、前記ＴＡ内の一意の識別情報を前記ＵＥに割り当てるように構成される第１処理ユニット２１と、
前記ＵＥに割り当てた、前記ＴＡ内の一意の識別情報を前記ＵＥに送信するように構成される第１通信ユニット２２とを含む。
【００３８】
ここで、前記ネットワーク機器は、コアネットワークにおける機器であり得る。
【００３９】
本技術案において、ＵＥにＴＡ内の一意のＵＥ識別子を割り当てることができ、ＵＥがロケーション更新を実行するとき、ＵＥに１つのＴＡリストを割り当てた場合、ＴＡリストの各ＴＡに対して当該ＴＡ内の一意のＵＥ識別子を割り当てる。
【００４０】
前記第１処理ユニット２１は、前記ＵＥがアタッチプロセス、またはロケーションエリア更新プロセスにある場合、前記ＴＡ内の一意の識別情報を前記ＵＥに割り当て、ＴＡリストを前記ＵＥに割り当てるように構成される。
【００４１】
対応的に、前記第１通信ユニット２２は、前記ＴＡ内の前記ＵＥの一意の識別情報、および前記ＴＡリストを、アタッチ応答メッセージまたはロケーション更新応答メッセージによって、前記ＵＥに送信するように構成される、
つまり、ＵＥのアタッチ（ａｔｔａｃｈ）プロセス、またはロケーションエリア更新プロセスにおいて、ネットワーク側によってＵＥにＴＡリストを割り当てる場合、各ＴＡに対して当該ＴＡ内の一意の識別子を割り当て、その後、ＴＡ内の前記ＵＥの一意の識別子を、ＴＡリストと共に、アタッチ応答メッセージまたはロケーション更新応答メッセージによって、ＵＥに送信する。
【００４２】
上記の処理に基づいて、第１処理ユニット２１は、前記ＵＥに対してページングメッセージを送信するとき、ＴＡリストに従って前記ＵＥに対応する基地局を決定するように構成され、第１通信ユニット２２は、前記ＵＥに対応する基地局にページングトリガメッセージを送信し、前記ページングトリガメッセージで前記基地局に対応するＴＡ内の前記ＵＥの一意の識別情報を搬送するように構成されることにより、前記基地局は、前記ＴＡ内の一意の識別情報に基づいて、前記ＵＥに対するページングメッセージを生成して送信する。
【００４３】
具体的には、ネットワーク側がページングメッセージを送信するとき、ＴＡリストに従って対応する基地局を選択して、ページングトリガメッセージを基地局に送信する。また、当該基地局に対応するＴＡ内のＵＥ識別情報も搬送する。基地局は、ページングメッセージを送信する場合、ページングメッセージのコアネットワークによって示されるＵＥ識別子を使用して、ページングされたＵＥを識別する。
【００４４】
対応的に、ＵＥは、ページングメッセージを受信する場合、セルが位置するＴＡを読み取って、ネットワーク側によって当該ＴＡに割り当てられたＵＥ識別子を取得することにより、自分のページングメッセージがあるかどうかを判断する。
【００４５】
さらに、当該識別情報は、ＵＥが初期ＲＲＣ接続確立を開始するときに１つのＵＥを識別するために使用されてもよいことに留意する必要がある。具体的には、第１処理ユニット２１は、前記ＵＥが初期ＲＲＣ接続確立を開始するとき、セルのＴＡ情報および当該ＴＡ内のＵＥの一意の識別情報を取得し、前記ＴＡ情報およびＲＲＣ接続要求メッセージで搬送されるＴＡ内の一意の識別情報に基づいて、ＵＥのコンテキスト情報をアドレス指定するように構成される。
【００４６】
即ち、初期コンテキストを確立する場合、基地局は、当該ＴＡ内の一意の識別情報および対応するＴＡ情報をＭＭＥ（例えば、本実施例のネットワーク機器であり得る）に送信して、ＵＥのコンテキスト情報を識別する必要がある。
【００４７】
前述の技術案を採用することにより、ＵＥが位置するトラッキングエリア（ＴＡ）に基づいて、当該ＵＥにＴＡ内の一意の識別情報を割り当てることができ、当該一意の識別情報を使用して、ページング送信でＵＥを識別およびＵＥの初期ＲＲＣ接続確立でＵＥを識別する。これにより、ネットワーク側のＵＥに対する送信シグナリングの負荷、特に、ページングシグナリングの負荷および初期ＲＲＣ接続確立メッセージの負荷を低減することができる。
【００４８】
実施例４
本発明の実施例によって提供されるＵＥは、図３に示されたように、ネットワーク側から送信されたＴＡ内の前記ＵＥの一意の識別情報を取得するように構成される第２通信ユニット３１を含む。
【００４９】
ここで、前記ネットワーク機器は、コアネットワークにおける機器であり得る。前記ＵＥは、モバイルネットワークにおける端末機器であり得る。
【００５０】
本技術案において、ＵＥにＴＡ内の一意のＵＥ識別子を割り当てることができ、ＵＥがロケーション更新を実行するとき、ＵＥに１つのＴＡリストを割り当てた場合、ＴＡリストの各ＴＡに対して当該ＴＡ内の一意のＵＥ識別子を割り当てる。
【００５１】
第２通信ユニット３１は、前記ＵＥがアタッチプロセス、またはロケーションエリア更新プロセスにある場合、ネットワーク側のアタッチ応答メッセージまたはロケーション更新応答メッセージによって、ＴＡ内の前記ＵＥの一意の識別情報およびＴＡリストを取得するように構成される。
【００５２】
つまり、ＵＥのアタッチ（ａｔｔａｃｈ）プロセス、またはロケーションエリア更新プロセスにおいて、ネットワーク側によってＵＥにＴＡリストを割り当てる場合、各ＴＡに対して当該ＴＡ内の一意の識別子を割り当て、その後、ＴＡ内の前記ＵＥの一意の識別子を、ＴＡリストと共に、アタッチ応答メッセージまたはロケーション更新応答メッセージによって、ＵＥに送信する。
【００５３】
上記の処理に基づいて、前記ＵＥにページングメッセージを送信する場合、ＴＡリストに従って、前記ＵＥに対応する基地局を決定し、前記ＵＥに対応する基地局にページングトリガメッセージを送信し、前記ページングトリガメッセージで前記基地局に対応するＴＡ内の前記ＵＥの一意の識別情報を搬送することにより、前記基地局は、前記ＴＡ内の一意の識別情報に基づいて、前記ＵＥのページングメッセージを生成して送信することとをさらに含む、
具体的には、ネットワーク側がページングメッセージを送信するとき、ＴＡリストに従って対応する基地局を選択して、ページングトリガメッセージを基地局に送信する。また、当該基地局に対応するＴＡ内のＵＥ識別情報も搬送する。基地局は、ページングメッセージを送信する場合、ページングメッセージのコアネットワークによって示されるＵＥ識別子を使用して、ページングされたＵＥを識別する。
【００５４】
対応的に、ＵＥがページングメッセージを受信するとき、前記ＵＥは、
現在位置するセルのＴＡ内の対応する一意の識別情報に基づいて、ネットワーク側から前記ＵＥに対するページングメッセージが送信されたかどうかを検出するように構成される第２処理ユニット３２をさらに含む。即ち、ＵＥは、ページングメッセージを受信する場合、セルが位置するＴＡを読み取って、ネットワーク側によって当該ＴＡに割り当てられたＵＥ識別子を取得することにより、自分のページングメッセージがあるかどうかを判断する。
【００５５】
さらに、当該識別情報は、ＵＥが初期ＲＲＣ接続確立を開始するときに１つのＵＥを識別するために使用されてもよいことに留意する必要がある。具体的には、前記ＵＥが初期ＲＲＣ接続確立を開始するとき、セルのＴＡ情報、および当該ＴＡ内のＵＥの一意の識別情報を取得し、
前記ＴＡ情報およびＲＲＣ接続要求メッセージで搬送されるＴＡ内の一意の識別情報に基づいて、ＵＥのコンテキスト情報をアドレス指定する。
【００５６】
即ち、初期コンテキストを確立する場合、基地局は、当該ＴＡ内の一意の識別情報および対応するＴＡ情報をＭＭＥ（例えば、本実施例のネットワーク機器であり得る）に送信して、ＵＥのコンテキスト情報を識別する必要がある。
【００５７】
前述の技術案を採用することにより、ＵＥが位置するトラッキングエリア（ＴＡ）に基づいて、当該ＵＥにＴＡ内の一意の識別情報を割り当てることができ、当該一意の識別情報を使用して、ページング送信でＵＥを識別およびＵＥの初期ＲＲＣ接続確立でＵＥを識別する。これにより、ネットワーク側のＵＥに対する送信シグナリングの負荷、特にページングシグナリングの負荷および初期ＲＲＣ接続確立メッセージの負荷を低減することができる。
【００５８】
本発明の実施例は、図４に示されたように、少なくとも１つのプロセッサ４１と、メモリ４２と、少なくとも１つのネットワークインターフェース４３とを含む、ユーザ機器または受信機器のハードウェア構成アーキテクチャをさらに提供する。各コンポーネントは、バスシステム４４を介して結合される。理解され得るように、バスシステム４４は、これらのコンポーネント間の接続通信を具現するために使用される。データバスに加えて、バスシステム４４は、電力バス、制御バスおよびステータス信号バスを含む。しかしながら、説明を明確にするために、図４では様々なバスをバスシステム４４として表記されている。
【００５９】
本発明の実施例におけるメモリ４２は、揮発性メモリまたは非揮発性メモリであってもよく、または揮発性および非揮発性メモリの両方を含んでもよいことを理解されたい。
【００６０】
いくつかの実施形態において、メモリ４２は、オペレーティングシステム４２１およびアプリケーションプログラム４２２の要素、実行可能なモジュールまたはデータ構造、またはそのサブセット、またはそれらの拡張セットを記憶する。
【００６１】
ここで、前記プロセッサ４１は、前述の実施例１または２の方法のステップを処理することができるように構成され、ここでは再び説明しない。
【００６２】
本発明の実施例によって提供されるコンピュータ記憶媒体は、コンピュータ実行可能な命令を記憶するように構成され、前記コンピュータ実行可能な命令が実行されるときに、前述の実施例１または２の方法のステップを実施する。
【００６３】
本発明の実施例の前記装置がソフトウェア機能モジュールの形態で具現され、スタンドアロン製品として販売または使用される場合、コンピュータ読み取り可能な記憶媒体に格納されることができる。このような理解に基づいて、本発明の実施例の技術的解決策は、本質的に、または既存の技術に貢献する部分は、ソフトウェア製品の形で具現されることができ、当該コンピュータソフトウェア製品は、１つの記憶媒体に記憶されて、一台のコンピュータ機器（パーソナルコンピュータ、サーバ、またはネットワーク機器などであリ得る）が本発明の各実施例に記載の方法の全部または一部を実行するようにするためのいくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどのプログラムコードを記憶することができる様々なメディアを含む。こうして、本発明の実施例は、いずれかのハードウェアおよびソフトウェアの特定の組み合わせに限定されない。
【００６４】
対応的に、本発明の実施例は、コンピュータプログラムが記憶されるコンピュータ記憶媒体をさらに提供し、前記コンピュータプログラムは、本発明の実施例のデータスケジューリング方法を実行するように構成される。
【００６５】
本発明の好ましい実施例を例示の目的で開示したが、当業者は、様々な修正、追加、および置換が可能であり、本発明の範囲は上記した実施例に限定されるべきではないことを認識するであろう。
【図１】
2021516930.tif 000003
【図２】
2021516930.tif 000004
【図３】
2021516930.tif 000005
【図４】
2021516930.tif 000006
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）識別子を割り当てる方法であって、
ネットワーク機器に適用され、
前記ＵＥが位置するトラッキングエリア（ＴＡ）に基づいて、前記ＴＡ内の一意の識別情報を前記ＵＥに割り当てることと、
前記ＵＥに割り当てた、前記ＴＡ内の一意の識別情報を前記ＵＥに送信することとを含む、前記ユーザ機器（ＵＥ）識別子を割り当てる方法。
【請求項２】
前記ＴＡ内の一意の識別情報を前記ＵＥに割り当てることは、
前記ＵＥがアタッチプロセス、またはロケーションエリア更新プロセスにある場合、前記ＴＡ内の一意の識別情報を前記ＵＥに割り当て、ＴＡリストを前記ＵＥに割り当てることをさらに含む、
請求項１に記載の方法。
【請求項３】
前記ＵＥに割り当てた、前記ＴＡ内の一意の識別情報を前記ＵＥに送信することは、
前記ＴＡ内の前記ＵＥの一意の識別情報、および前記ＴＡリストを、アタッチ応答メッセージまたはロケーション更新応答メッセージによって、前記ＵＥに送信することを含む、
請求項２に記載の方法。
【請求項４】
前記方法は、
前記ＵＥに対してページングメッセージを送信するとき、ＴＡリストに従って前記ＵＥに対応する基地局を決定することと、
前記ＵＥに対応する基地局にページングトリガメッセージを送信し、前記ページングトリガメッセージで前記基地局に対応するＴＡ内の前記ＵＥの一意の識別情報を搬送することにより、前記基地局は、前記ＴＡ内の一意の識別情報に基づいて、前記ＵＥのページングメッセージを生成して送信することとをさらに含む、
請求項１に記載の方法。
【請求項５】
前記方法は、
前記ＵＥが初期ＲＲＣ接続確立を開始するとき、セルのＴＡ情報および前記ＴＡ内のＵＥの一意の識別情報を取得することと、
前記ＴＡ情報およびＲＲＣ接続要求メッセージで搬送されるＴＡ内の一意の識別情報に基づいて、ＵＥのコンテキスト情報をアドレス指定することとをさらに含む、
請求項１に記載の方法。
【請求項６】
ユーザ機器（ＵＥ）識別子を割り当てる方法であって、
ＵＥに適用され、
ネットワーク側から送信されたＴＡ内の前記ＵＥの一意の識別情報を取得することを含む、前記ユーザ機器（ＵＥ）識別子を割り当てる方法。
【請求項７】
前記方法は、
前記ＵＥがアタッチプロセス、またはロケーションエリア更新プロセスにある場合、ネットワーク側のアタッチ応答メッセージまたはロケーション更新応答メッセージによって、前記ＴＡ内の前記ＵＥの一意の識別情報および前記ＴＡリストを取得することをさらに含む、
請求項６に記載の方法。
【請求項８】
前記方法は、
現在位置するセルのＴＡ内の対応する一意の識別情報に基づいて、ネットワーク側から前記ＵＥに対するページングメッセージが送信されたかどうかを検出することをさらに含む、
請求項６に記載の方法。
【請求項９】
ネットワーク機器であって、
前記ＵＥが位置するトラッキングエリア（ＴＡ）に基づいて、前記ＴＡ内の一意の識別情報を前記ＵＥに割り当てるように構成される第１処理ユニットと、
前記ＵＥに割り当てた、前記ＴＡ内の一意の識別情報を前記ＵＥに送信するように構成される第１通信ユニットとを含む、前記ネットワーク機器。
【請求項１０】
前記第１処理ユニットは、前記ＵＥがアタッチプロセス、またはロケーションエリア更新プロセスにある場合、前記ＴＡ内の一意の識別情報を前記ＵＥに割り当て、ＴＡリストを前記ＵＥに割り当てるように構成される、
請求項９に記載のネットワーク機器。
【請求項１１】
前記第１通信ユニットは、前記ＴＡ内の前記ＵＥの一意の識別情報および前記ＴＡリストを、アタッチ応答メッセージまたはロケーション更新応答メッセージによって、前記ＵＥに送信するように構成される、
請求項１０に記載のネットワーク機器。
【請求項１２】
前記第１処理ユニットは、前記ＵＥに対してページングメッセージを送信するとき、ＴＡリストに従って前記ＵＥに対応する基地局を決定するように構成され、
前記第１通信ユニットは、前記ＵＥに対応する基地局にページングトリガメッセージを送信し、前記ページングトリガメッセージで前記基地局に対応するＴＡ内の前記ＵＥの一意の識別情報を搬送するように構成されることにより、前記基地局は、前記ＴＡ内の一意の識別情報に基づいて、前記ＵＥに対するページングメッセージを生成して送信する、
請求項９に記載のネットワーク機器。
【請求項１３】
前記第１処理ユニットは、前記ＵＥが初期ＲＲＣ接続確立を開始するとき、セルのＴＡ情報および前記ＴＡ内のＵＥの一意の識別情報を取得し、前記ＴＡ情報およびＲＲＣ接続要求メッセージで搬送されるＴＡ内の一意の識別情報に基づいて、ＵＥのコンテキスト情報をアドレス指定するように構成される、
請求項９に記載のネットワーク機器。
【請求項１４】
ＵＥであって、
ネットワーク側から送信されたＴＡ内の前記ＵＥの一意の識別情報を取得するように構成される第２通信ユニットを含む、前記ＵＥ。
【請求項１５】
前記第２通信ユニットは、前記ＵＥがアタッチプロセス、またはロケーションエリア更新プロセスにある場合、ネットワーク側のアタッチ応答メッセージまたはロケーション更新応答メッセージによって、前記ＴＡ内の前記ＵＥの一意の識別情報およびＴＡリストを取得するように構成され、および
前記ＵＥは、
現在位置するセルのＴＡ内の対応する一意の識別情報に基づいて、ネットワーク側から前記ＵＥに対するページングメッセージが送信されたかどうかを検出するように構成される第２処理ユニットをさらに含む、
請求項１４に記載のＵＥ。
【国際調査報告】
2021516930.tif 000007
2021516930.tif 000008
2021516930.tif 000009
2021516930.tif 000010